【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
筺体と、
通話の際に音が出力される通話用スピーカと、
前記通話用スピーカの出力を制御する制御部と、を備え、
前記通話用スピーカは、
出力される音に対応する音波と、出力される音に対応する振動に基づき、前記筺体の一面が振動して生じる振動波とを放出して音を伝達させる第１スピーカと、
出力される音に対応する音波を放出する第２スピーカと、を含み、
前記制御部は、前記通話用スピーカから音を出力するための機能の実行の際に、
所定の契機行為が生じない場合には、前記第１スピーカから音を出力し前記第２スピーカから音を出力しない第１制御を実行し、
前記契機行為が生じた場合には、少なくとも前記第２スピーカから音を出力する第２制御を実行する、
ことを特徴とする携帯端末装置。
【請求項２】
請求項１に記載の携帯端末装置において、
所定の属性を有する音が出力されることが前記契機行為とされ、
前記制御部は、前記所定の属性を有する音が前記通話用スピーカから出力される場合に、前記第２制御を実行する、
ことを特徴とする携帯端末装置。
【請求項３】
請求項２に記載の携帯端末装置において、
前記所定の属性を有する音は、所定の通報音を含み、
前記制御部は、前記所定の通報音が前記通話用スピーカから出力される場合に、前記第２制御を実行する、
ことを特徴とする携帯端末装置。
【請求項４】
請求項２または３に記載の携帯端末装置において、
前記所定の属性を有する音は、所定の通話先からの受話音声を含み、
前記制御部は、前記所定の通話先からの受話音声が前記通話用スピーカから出力される場合に、前記第２制御を実行する、
ことを特徴とする携帯端末装置。
【請求項５】
請求項２ないし４の何れか一項に記載の携帯端末装置において、
前記第２制御から前記第１制御への切替操作を受け付ける第２制御切替操作部を、さらに備え、
前記制御部は、前記第２制御の実行中に前記第２制御から前記第１制御への切替操作が受け付けられると、前記第２制御に替えて前記第１制御を実行する、
ことを特徴とする携帯端末装置。
【請求項６】
請求項１ないし５の何れか一項に記載の携帯端末装置において、
前記第１制御から前記第２制御への切替操作を受け付ける第１制御切替操作部を、さらに備え、
前記第１制御から前記第２制御への切替操作が受け付けられたことが前記契機行為とされ、
前記制御部は、前記第１制御から前記第２制御への切替操作が受け付けられた場合に、前記第２制御を実行する、
ことを特徴とする携帯端末装置。
【請求項７】
請求項１ないし６の何れか一項に記載の携帯端末装置において、
検出対象が前記筺体に接触しているか否かを検出するための接触検出部を、さらに備え、
前記検出対象が前記筺体から離れたことが前記契機行為とされ、
前記制御部は、前記検出対象が前記筺体から離れた場合に、前記第２制御を実行する、
ことを特徴とする携帯端末装置。
【請求項８】
筺体と、通話の際に音が出力される通話用スピーカと、を備え、前記通話用スピーカが、出力される音に対応する音波と、出力される音に対応する振動に基づき、前記筺体の一面が振動して生じる振動波とを放出して音を伝達させる第１スピーカと、出力される音に対応する音波を放出する第２スピーカと、を含む、携帯端末装置のコンピュータに、
前記通話用スピーカから音を出力するための機能の実行の際に、所定の契機行為が生じない場合には、前記第１スピーカから音を出力し前記第２スピーカから音を出力しない第１制御を実行し、前記契機行為が生じた場合には、少なくとも前記第２スピーカから音を出力する第２制御を実行する機能を、
付与するプログラム。
【請求項９】
筺体と、通話の際に音が出力される通話用スピーカと、を備え、前記通話用スピーカが、出力される音に対応する音波と、出力される音に対応する振動に基づき、前記筺体の一面が振動して生じる振動波とを放出して音を伝達させる第１スピーカと、出力される音に対応する音波を放出する第２スピーカと、を含む、携帯端末装置の音出力制御方法であって、
前記通話用スピーカから音を出力するための機能を実行するステップと、
前記機能が実行された際に、所定の契機行為が生じない場合には、前記第１スピーカから音を出力し前記第２スピーカから音を出力しない第１制御を実行し、前記契機行為が生じた場合には、少なくとも前記第２スピーカから音を出力する第２制御を実行するステップと、
を含む音出力制御方法。
【手続補正２】
【補正対象書類名】明細書
【補正対象項目名】００１０
【補正方法】変更
【補正の内容】
【００１０】
本発明の第１の態様に係る携帯端末装置は、筺体と、通話の際に音が出力される通話用スピーカと、前記通話用スピーカの出力を制御する制御部と、を備える。前記通話用スピーカは、出力される音に対応する音波と、出力される音に対応する振動に基づき、前記筺体の一面が振動して生じる振動波とを放出して音を伝達させる第１スピーカと、出力される音に対応する音波を放出する第２スピーカと、を含む。ここで、前記制御部は、前記通話用スピーカから音を出力するための機能の実行の際に、所定の契機行為が生じない場合には、前記第１スピーカから音を出力し前記第２スピーカから音を出力しない第１制御を実行し、前記契機行為が生じた場合には、少なくとも前記第２スピーカから音を出力する第２制御を実行する。
【手続補正３】
【補正対象書類名】明細書
【補正対象項目名】００１１
【補正方法】変更
【補正の内容】
【００１１】
本態様に係る携帯端末装置において、所定の属性を有する音が出力されることが前記契機行為とされ得る。この場合、前記制御部は、前記所定の属性を有する音が前記通話用スピーカから出力される場合に、前記第２制御を実行するような構成とされ得る。
【手続補正４】
【補正対象書類名】明細書
【補正対象項目名】００１２
【補正方法】変更
【補正の内容】
【００１２】
たとえば、前記所定の属性を有する音は、所定の通報音を含み得る。この場合、前記制御部は、前記所定の通報音が前記通話用スピーカから出力される場合に、前記第２制御を実行する。たとえば、所定の通報音は、少なくとも、ユーザが設定した時刻に出力されるアラーム音、バッテリーの残量が少なくなった際に出力されるアラート音、緊急速報の着信時に出力されるアラート音を含む。
【手続補正５】
【補正対象書類名】明細書
【補正対象項目名】００１３
【補正方法】変更
【補正の内容】
【００１３】
あるいは、前記所定の属性を有する音は、所定の通話先からの受話音声を含み得る。この場合、前記制御部は、前記所定の通話先からの受話音声が前記通話用スピーカから出力される場合に、前記第２制御を実行する。
【手続補正６】
【補正対象書類名】明細書
【補正対象項目名】００１４
【補正方法】変更
【補正の内容】
【００１４】
上記のように、所定の属性を有する音が出力される場合に、第２制御を実行するような構成とされた場合、携帯端末装置は、前記第２制御から前記第１制御への切替操作を受け付ける第２制御切替操作部を、さらに備えるような構成とされ得る。この場合、前記制御部は、前記第２制御の実行中に前記第２制御から前記第１制御への切替操作が受け付けられると、前記第２制御に替えて前記第１制御を実行する。
【手続補正７】
【補正対象書類名】明細書
【補正対象項目名】００１５
【補正方法】変更
【補正の内容】
【００１５】
本態様に係る携帯端末装置は、前記第１制御から前記第２制御への切替操作を受け付ける第１制御切替操作部を、さらに備えるような構成とされ得る。この場合、前記第１制御から前記第２制御への切替操作が受け付けられたことが前記契機行為とされ、前記制御部は、前記第１制御から前記第２制御への切替操作が受け付けられた場合に、前記第２制御を実行する。
【手続補正８】
【補正対象書類名】明細書
【補正対象項目名】００１６
【補正方法】変更
【補正の内容】
【００１６】
本態様に係る携帯端末装置は、検出対象が前記筺体に接触しているか否かを検出するための接触検出部を、さらに備えるような構成とされ得る。この場合、前記検出対象が前記筺体から離れたことが前記契機行為とされ、前記制御部は、前記検出対象が前記筺体から離れた場合に、前記第２制御を実行する。
【手続補正９】
【補正対象書類名】明細書
【補正対象項目名】００１７
【補正方法】変更
【補正の内容】
【００１７】
本発明の第２の態様に係るプログラムは、筺体と、通話の際に音が出力される通話用スピーカと、を備え、前記通話用スピーカが、出力される音に対応する音波と、出力される音に対応する振動に基づき、前記筺体の一面が振動して生じる振動波とを放出して音を伝達させる第１スピーカと、出力される音に対応する音波を放出する第２スピーカと、を含む、携帯端末装置のコンピュータに、前記通話用スピーカから音を出力するための機能の実行の際に、所定の契機行為が生じない場合には、前記第１スピーカから音を出力し前記第２スピーカから音を出力しない第１制御を実行し、前記契機行為が生じた場合には、少なくとも前記第２スピーカから音を出力する第２制御を実行する機能を付与する。
【手続補正１０】
【補正対象書類名】明細書
【補正対象項目名】００１８
【補正方法】変更
【補正の内容】
【００１８】
本発明の第３の態様は、筺体と、通話の際に音が出力される通話用スピーカと、を備え、前記通話用スピーカが、出力される音に対応する音波と、出力される音に対応する振動に基づき、前記筺体の一面が振動して生じる振動波とを放出して音を伝達させる第１スピーカと、出力される音に対応する音波を放出する第２スピーカと、を含む、携帯端末装置の音出力制御方法に関する。本態様に係る音出力制御方法は、前記通話用スピーカから音を出力するための機能を実行するステップと、前記機能が実行された際に、所定の契機行為が生じない場合には、前記第１スピーカから音を出力し前記第２スピーカから音を出力しない第１制御を実行し、前記契機行為が生じた場合には、少なくとも前記第２スピーカから音を出力する第２制御を実行するステップと、を含む。
【手続補正１１】
【補正対象書類名】明細書
【補正対象項目名】００７１
【補正方法】変更
【補正の内容】
【００７１】
制御部１１は、通話中、所定の通報音が出力されているか否かを判定する（Ｓ１１１）。所定の通報音が出力されていなければ（Ｓ１１１：ＮＯ）、制御部１１は、第１通話スピーカ５から受話音声を出力させる（Ｓ１０２）。
【手続補正１２】
【補正対象書類名】明細書
【補正対象項目名】００７２
【補正方法】変更
【補正の内容】
【００７２】
第１通話スピーカ５より所定の通報音の出力が開始されると（Ｓ１１１：ＹＥＳ）、制御部１１は、第２通話スピーカ６から受話音声を出力させる（Ｓ１１２）。第２通話スピーカ６からは、所定の通報音と受話音声が出力される。所定の通報音の出力が終了すると（Ｓ１１１：ＮＯ）、制御部１１は、再び、第１通話スピーカ５から受話音声を出力させる（Ｓ１０２）。
【手続補正１３】
【補正対象書類名】明細書
【補正対象項目名】００８５
【補正方法】変更
【補正の内容】
【００８５】
所定の通話先でなければ（Ｓ３０２：ＮＯ）、制御部１１は、第１通話スピーカ５から受話音声を出力させる（Ｓ３０３）。制御部１１は、第２通話スピーカ６からは受話音声を出力させない。制御部１１は、通話が終了すると（Ｓ３０４：ＹＥＳ）、受話音声出力処理を終了する。
【手続補正１４】
【補正対象書類名】明細書
【補正対象項目名】０１１５
【補正方法】変更
【補正の内容】
【０１１５】
耳がキャビネット２に接触していれば（Ｓ５０２：ＮＯ）、制御部１１は、第１通話スピーカ５から受話音声を出力させる（Ｓ５０３）。制御部１１は、第２通話スピーカ６からは受話音声を出力させない。制御部１１は、通話が終了すると（Ｓ５０４：ＹＥＳ）、受話音声出力処理を終了する。